(57)【要約】【課題】  本発明は、縮尺設定により、図面や構造物、構築物などの精密な模型が容易にできる組立ブロックに関する。【解決手段】  突起部２と受孔部５の結合により連結および分解が可能な組立ブロックであって、基準寸法となる所定寸法の正立方形の上面に突起部２を有し、底面に受孔部５を有することを特徴とした模型用組立ブロック１。【選択図】  図１
2007061246.tif 000002
【特許請求の範囲】
【請求項１】
突起部と受孔部の結合により連結および分解が可能な組立ブロックであって、
基準寸法となる所定寸法の正立方形の上面に突起部を有し、底面に受孔部を有することを特徴とした模型用組立ブロック。
【請求項２】
基準寸法を基にして、縦方向の長さが基準寸法と基準寸法の2倍の寸法と、基準寸法の5倍の寸法と、基準寸法の10倍の寸法に設定された4種類の模型用組立ブロックと、
横方向の長さが基準寸法の2倍の寸法であり縦方向の長さが基準寸法の2倍の寸法と、基準寸法の5倍の寸法と、基準寸法の10倍の寸法に設定された3種類の模型用組立ブロックと、
横方向の長さが基準寸法の5倍の寸法であり縦方向の長さが基準寸法の5倍の寸法と、基準寸法の10倍の寸法に設定された2種類の模型用組立ブロックと、
横方向の長さが基準寸法の10倍の寸法であり縦方向の長さが基準寸法の10倍に設定された模型用組立ブロックと、
上記10種類の模型用組立ブロックを基にして、高さが基準寸法と基準寸法の2倍の寸法と、基準寸法の5倍の寸法と、基準寸法の10倍の寸法に設定された全40種類の模型用組立ブロックと、基準寸法の模型用組立ブロックが突起部を上面にして側面方向に連続して形成された基台部からなることを特徴とした請求項１記載の模型用組立ブロック。
【発明の詳細な説明】
【技術分野】
【０００１】
本発明は、縮尺設定により、図面や構造物、構築物などの精密な模型が容易にできる組立ブロックに関する。
【背景技術】
【０００２】
従来の模型および組立ブロックは、それぞれ次の技術で知られている。
【０００３】
従来の模型は、目的の構造物、構築物、自動車、飛行機などを作成するセットとして販売されている。これらの組立セットは、成果品の形状が決まっているプラスチックモデル、或いはレイアウトの変更ができる建築モデルなどである。（例えば、特許文献１参照）
【０００４】
凸凹を有する組立ブロックは、プラスチック製のブロック玩具として、幼児等が扱いやすい構造や大きさであり、凸状の突起部と凹状の受孔部の結合により連結および分解が可能なものである。（例えば、特許文献２参照）
【０００５】
【特許文献１】特開平７−１９１６００号公報
【特許文献２】特表２００２−５３４２４０号公報
【発明の開示】
【発明が解決しようとする課題】
【０００６】
従来の模型は、成果品の形状、外観がある程度限定されており、組み替えや分解が難しい。
【０００７】
従来の組立ブロックは、自由な発想によるさまざまな目的物の組立が可能であるが、幼児等が扱いやすい大きさであったり、基準寸法が独自なものであり図面からの変換やメートル寸法からの変換が困難であったりするため、模型等の精密な再現に不向きである。
【０００８】
この発明は上記事項を解決すべく創案されたものであって、その主たる課題は、自由な発想によるさまざまな模型の組立が可能である、模型用組立ブロックを提供する。また縮尺設定により精密な模型を容易に組み立てることのできる、模型用組立ブロックを提供することにある。
【課題を解決するための手段】
【０００９】
上記課題を解決するために、請求項１の発明では、
突起部と受孔部の結合により連結および分解が可能な組立ブロックであって、
基準寸法となる所定寸法の正立方形の上面に突起部を有し、底面に受孔部を有する模型用組立ブロックを提供する。
【００１０】
請求項２の発明では、
基準寸法を基にして、縦方向の長さが基準寸法と基準寸法の2倍の寸法と、基準寸法の5倍の寸法と、基準寸法の10倍の寸法に設定された4種類の模型用組立ブロックと、
横方向の長さが基準寸法の2倍の寸法であり縦方向の長さが基準寸法の2倍の寸法と、基準寸法の5倍の寸法と、基準寸法の10倍の寸法に設定された3種類の模型用組立ブロックと、
横方向の長さが基準寸法の5倍の寸法であり縦方向の長さが基準寸法の5倍の寸法と、基準寸法の10倍の寸法に設定された2種類の模型用組立ブロックと、
横方向の長さが基準寸法の10倍の寸法であり縦方向の長さが基準寸法の10倍に設定された模型用組立ブロックと、
上記10種類の模型用組立ブロックを基にして、高さが基準寸法と基準寸法の2倍の寸法と、基準寸法の5倍の寸法と、基準寸法の10倍の寸法に設定された全40種類の模型用組立ブロックと、基準寸法の模型用組立ブロックが突起部を上面として側面方向に連続して形成された基台部からなる請求項１記載の模型用組立ブロックである。
【発明の効果】
【００１１】
この発明は模型用組立ブロックを基準寸法となる所定寸法の正立方形にし、従来の組立ブロックより小さな寸法に設定することで、精密な模型の組立を可能にする。
この模型用組立ブロックと縦方向、横方向、高さ方向の長さが基準寸法の２、５、１０倍に設定された全４０種類の模型用組立ブロックと、縦、横の側面方向に連続して形成された基台部を組み合せて組み立てられることにより、自由な発想によるさまざまな模型の組立が可能になる。
【発明を実施するための最良の形態】
【００１２】
以下、本発明の実施の形態を図面に基づき詳細に説明する。
【００１３】
図１から図４に示す、模型用組立ブロック１，６〜４４および基台部４５は、突起部２と受孔部５の結合によって模型用組立ブロック１，６〜４４、基台部４５同士を連結し、また分解することができる。
この模型用組立ブロック１，６〜４４および基台部４５は、合成樹脂やゴム等を用いて作製した一体成形品であり、色や模様については、任意設定できる。
【００１４】
図１、図２は基準寸法である模型用組立ブロックを示し、模型用組立ブロック１を縦、横、高さの寸法が同一の正立方形に設定し、上面３の中央に配置された突起部２と、下面４の中央に配置され突起部２よりも長く設定された円柱状の受孔部５よりなる。
模型用組立ブロック１の基準寸法としては、一辺が２mm〜６mmの範囲の正立方形に設定し、従来の組立ブロックより小さな寸法が最適である。
突起部２および受孔部５は、直径を１mm〜５mmの範囲で設定し、突起部２の高さを０．５mm〜５mm、受孔部５の深さを１mm〜５．５mmの範囲で設定する。また、断面形状はほぼ同一とし、断面は円形、四角形、多角形その他任意の形状に設定することができる。
【００１５】
図３は、全４０種類の模型用組立ブロックを示し、模型用組立ブロック１，６〜４４は、
複雑で精密な模型作製に対応するため、また連結による補強、安定性を図るために縦、横、高さをそれぞれ基準寸法の２，５，１０倍の倍数で以下に設定される。
基準寸法を基にして、縦方向の長さが基準寸法の模型用組立ブロック１と、基準寸法の2倍の寸法で設定された模型用組立ブロック６と、基準寸法の5倍の寸法で設定された模型用組立ブロック７と、基準寸法の10倍の寸法で設定された模型用組立ブロック８の4種類の模型用組立ブロックと、
横方向の長さが基準寸法の2倍の寸法であり縦方向の長さが基準寸法の2倍の寸法で設定された模型用組立ブロック９と、基準寸法の5倍の寸法で設定された模型用組立ブロック１０と基準寸法の10倍の寸法で設定された模型用組立ブロック１１の3種類の模型用組立ブロックと、
横方向の長さが基準寸法の5倍の寸法であり縦方向の長さが基準寸法の5倍の寸法で設定された模型用組立ブロック１２と、基準寸法の10倍の寸法で設定された模型用組立ブロック１３の2種類の模型用組立ブロックと、
横方向の長さが基準寸法の10倍の寸法であり縦方向の長さが基準寸法の10倍の寸法で設定された模型用組立ブロック１４と、
上記10種類の模型用組立ブロック１，６〜１４を基にして、高さが基準寸法の模型用組立ブロック１，６〜１４と、基準寸法の2倍の寸法で設定された模型用組立ブロック１５〜２４と、基準寸法の5倍の寸法で設定された模型用組立ブロック２５〜３４と、基準寸法の10倍の寸法で設定された模型用組立ブロック３５〜４４の全40種類の模型用組立ブロック１，６〜４４。
この模型用組立ブロック１，６〜４４同士を連結、分解することができる。
【００１６】
図４は、基台部を示し、基台部４５は基準寸法の模型用組立ブロック１が突起部を上面にして縦、横の側面方向に連続して形成することができる、また必要であれば高さ方向に連続して形成することもできる。
【００１７】
図５は、図３に示した模型用組立ブロック１，６〜４４の中から用いた単純な組立例を示す。
この組立例のように、下段の模型用組立ブロック４４の突起部２を中段の模型用組立ブロック３３の受孔部５に結合し、中段の模型用組立ブロック３３の突起部２を上段の模型用組立ブロック２０の受孔部５に結合して組み立てていくことができる。
【００１８】
図６は、図３に示した模型用組立ブロック１，６〜４４の中から用いた組立例を示す。
この組立例は、簡単な建築模型であり、基台部４５の上に模型用組立ブロック４２を四隅の支柱として配置し、壁面は主に模型用組立ブロック４１を配置し、調整用に模型用組立ブロック１１、２１、３１、３９、４０を配置している。また、窓の部分は模型用組立ブロック２６、３０、３１、３５を用いて配置した。
上記のように、模型用組立ブロック同士を組み合せていくことで容易に目的の模型を組み立てることができる。
【００１９】
一例として、模型用組立ブロック１を一辺の長さが２mmの正立方形に設定すると、これを最小単位とし、縦方向、横方向、高さ方向の長さを２、５、１０倍した４mm、１０mm、２０mmで設定される全４０種類の模型用組立ブロック１，６〜４４と、２mmの正立方形を縦、横の側面方向に連続して形成された基台部４５で構成される模型用組立ブロックとなる。
【００２０】
上記一例の模型用組立ブロックを縮尺設定する。
１：５０の縮尺設定で模型を組み立てる場合、最小単位となる模型用組立ブロック１は２mm×５０倍で、一辺が１００mmの正立方形として変換できる。
１：１００の縮尺設定で模型を組み立てる場合、最小単位となる模型用組立ブロック１は２mm×１００倍で、一辺が２００mmの正立方形として変換できる。
１：２００の縮尺設定で模型を組み立てる場合、最小単位となる模型用組立ブロック１は２mm×２００倍で、一辺が４００mmの正立方形として変換できる。
このように、目的物の精度により任意で縮尺設定を行うことで、精密な模型を組み立てることができる。
【図面の簡単な説明】
【００２１】
【図１】基準寸法の模型用組立ブロックを示す斜視図である。
【図２】基準寸法の模型用組立ブロックを示す断面図である。
【図３】全４０種類の模型用組立ブロックを示す斜視図である。
【図４】基台部の斜視図である。
【図５】図３の模型用組立ブロックを用いた、単純な組立例を示す斜視図である。
【図６】図３の模型用組立ブロックと図４の基台部を用いた、組立例を示す斜視図（突起部省略）である。
【符号の説明】
【００２２】
１、６〜４４  模型用組立ブロック
２            突起部
５            受孔部
４５          基台部
【図１】
2007061246.tif 000003
【図２】
2007061246.tif 000004
【図３】
2007061246.tif 000005
【図４】
2007061246.tif 000006
【図５】
2007061246.tif 000007
【図６】
2007061246.tif 000008